(57)【要約】【課題】磁石の磁力や磁気スイッチの感度によらず、電源の起動及び停止を確実に制御できる及びカプセル型医療装置及びカプセル型医療装置の収納容器を提供すること。【解決手段】本発明は、磁石１３と、磁石１３の近傍に配置され、磁石１３による磁束の変化に応じて端子の接続が切り替わる磁気スイッチ１４とを有するカプセル型医療装置１と、カプセル型医療装置１を収納する収納容器であって、磁気スイッチ１４の近傍にカプセル型医療装置１の短手方向の外周を取り囲むように配置される磁性体２６を有する収納容器２と、に関する。【選択図】図２
2018093887.tif 000002
【特許請求の範囲】
【請求項１】
磁石と、前記磁石の近傍に配置され、前記磁石による磁束の変化に応じて端子の接続が切り替わる磁気スイッチとを有するカプセル型医療装置と、
前記カプセル型医療装置を収納する収納容器であって、前記磁気スイッチの近傍に前記カプセル型医療装置の短手方向の外周の少なくとも一部を取り囲むように配置される第１の磁性体を有する収納容器と、
を備えたことを特徴とするカプセル型医療装置。
【請求項２】
前記カプセル型医療装置は、前記磁石の両極のそれぞれの近傍に互いに対向配置された一対の第２の磁性体をさらに有し、
前記磁気スイッチは、前記対向配置された一対の第２の磁性体の間に配置されることを特徴とする請求項１に記載のカプセル型医療装置。
【請求項３】
前記磁石と一方の前記第２の磁性体と前記第１の磁性体と他方の前記第２の磁性体とを経由する第１の経路における部材間の距離の総量は、前記磁石と一方の前記第２の磁性体と前記磁気スイッチと他方の前記第２の磁性体とを経由する第２の経路における部材間の距離の総量よりも小さいことを特徴とする請求項２に記載のカプセル型医療装置。
【請求項４】
前記第２の磁性体は、前記磁気スイッチに向けて突起した突起部を有することを特徴とする請求項２または３に記載のカプセル型医療装置。
【請求項５】
前記第２の磁性体は、棒状或いは板状であることを特徴とする請求項２〜４のいずれか一つに記載のカプセル型医療装置。
【請求項６】
前記第２の磁性体は、屈曲形状を有することを特徴とする請求項２〜４のいずれか一つに記載のカプセル型医療装置。
【請求項７】
磁石と、
前記磁石の両極のそれぞれの近傍に互いに対向配置された一対の磁性体と、
前記磁石による磁束の変化に応じて端子の接続が切り替わる磁気スイッチであって、前記磁石の近傍であり、かつ、前記対向配置された一対の磁性体の間に配置される磁気スイッチと、
を備えたことを特徴とするカプセル型医療装置。
【請求項８】
磁石と、該磁石の近傍に配置されて該磁石による磁束の変化に応じて端子の接続が切り替わる磁気スイッチとを内部に備えたカプセル型医療装置の収納容器であって、
前記カプセル型医療装置が収納された場合に、前記磁気スイッチの近傍に前記カプセル型医療装置の短手方向の外周の少なくとも一部を取り囲むように配置される磁性体を備えたことを特徴とするカプセル型医療装置の収納容器。
【発明の詳細な説明】
【技術分野】
【０００１】
本発明は、被検体内部に導入されるカプセル型医療装置及びカプセル型医療装置の収納容器に関するものである。
【背景技術】
【０００２】
従来、検査、治療または処置が可能な飲み込み型のカプセル型医療装置が知られている。カプセル型医療装置の一つであるカプセル型内視鏡は、患者等の被検体の消化管内に導入可能な大きさに形成されたカプセル形状の筐体内に、イメージセンサ、制御部品、通信部品、バッテリ及び電源スイッチ等を備える。カプセル型内視鏡は、電源が起動した後に、被検体の口から飲み込まれ、消化管内等を蠕動運動等によって移動しながら、被検体内部を順次撮像して画像信号を生成し、生成した画像信号を体外の受信装置に順次無線送信する。カプセル型内視鏡が無線送信した体内画像は、受信装置を介してワークステーションに取り込まれ、順次表示される。
【０００３】
ここで、カプセル型医療装置は、被検体内に導入されるものであるため、カプセル型医療装置の外装にスイッチを設けて電源の起動及び停止を制御することができない。このため、カプセル型医療装置は、外部からの作用によって動作するリードスイッチ（磁気スイッチ）を内部に設けて電源の起動及び停止を制御している。例えば、カプセル型医療装置の内部に、電源が常時起動となる組み合わせで磁気スイッチとバイアス磁石とを設け、バイアス磁石とは逆の極性の向きとなるようにパッケージ内に永久磁石を配置し、パッケージへのカプセル型医療装置収納時には、カプセル型医療装置のバイアス磁石の磁界を無効化して磁気スイッチをオフすることによって電源を停止するカプセル型内視鏡キットが提案されている（例えば、特許文献１参照）。
【先行技術文献】
【特許文献】
【０００４】
【特許文献１】特開２００５−１２４９６２号公報
【発明の概要】
【発明が解決しようとする課題】
【０００５】
磁石による磁束の磁束密度は、空気中では、距離の３乗に反比例して減衰する。特許文献１に記載の構成では、パッケージに配置される永久磁石とカプセル型医療装置の内部に設けられる磁気スイッチとの間には、少なくともカプセル型筐体及びパッケージ本体が介在するため、その分永久磁石と磁気スイッチとの距離が離れてしまう。これに応じて磁気スイッチに作用する磁束密度も減衰するため、特許文献１に記載の構成では、電源の起動及び停止を確実に制御するために、磁力の大きい永久磁石、或いは、高い感度を有する磁気スイッチを採用せざるを得ないという問題があった。
【０００６】
本発明は、上記に鑑みてなされたものであって、磁石の磁力や磁気スイッチの感度によらず、電源の起動及び停止を確実に制御できる及びカプセル型医療装置を提供することを目的とする。
【課題を解決するための手段】
【０００７】
上述した課題を解決し、目的を達成するために、本発明にかかるカプセル型医療装置は、磁石と、前記磁石の近傍に配置され、前記磁石による磁束の変化に応じて端子の接続が切り替わる磁気スイッチとを有するカプセル型医療装置と、前記カプセル型医療装置を収納する収納容器であって、前記磁気スイッチの近傍に前記カプセル型医療装置の短手方向の外周の少なくとも一部を取り囲むように配置される第１の磁性体を有する収納容器と、を備えたことを特徴とする。
【０００８】
また、本発明にかかるカプセル型医療装置は、前記カプセル型医療装置は、前記磁石の両極のそれぞれの近傍に互いに対向配置された一対の第２の磁性体をさらに有し、前記磁気スイッチは、前記対向配置された一対の第２の磁性体の間に配置されることを特徴とする。
【０００９】
また、本発明にかかるカプセル型医療装置は、前記磁石と一方の前記第２の磁性体と前記第１の磁性体と他方の前記第２の磁性体とを経由する第１の経路における部材間の距離の総量は、前記磁石と一方の前記第２の磁性体と前記磁気スイッチと他方の前記第２の磁性体とを経由する第２の経路における部材間の距離の総量よりも小さいことを特徴とする。
【００１０】
また、本発明にかかるカプセル型医療装置は、前記第２の磁性体は、前記磁気スイッチに向けて突起した突起部を有することを特徴とする。
【００１１】
また、本発明にかかるカプセル型医療装置は、前記第２の磁性体は、棒状或いは板状であることを特徴とする。
【００１２】
また、本発明にかかるカプセル型医療装置は、前記第２の磁性体は、屈曲形状を有することを特徴とする。
【００１３】
また、本発明にかかるカプセル型医療装置は、磁石と、前記磁石の両極のそれぞれの近傍に互いに対向配置された一対の磁性体と、前記磁石による磁束の変化に応じて端子の接続が切り替わる磁気スイッチであって、前記磁石の近傍であり、かつ、前記対向配置された一対の磁性体の間に配置される磁気スイッチと、を備えたことを特徴とする。
【００１４】
また、本発明にかかるカプセル型医療装置の収納容器は、磁石と、該磁石の近傍に配置されて該磁石による磁束の変化に応じて端子の接続が切り替わる磁気スイッチとを内部に備えたカプセル型医療装置の収納容器であって、前記カプセル型医療装置が収納された場合に、前記磁気スイッチの近傍に前記カプセル型医療装置の短手方向の外周の少なくとも一部を取り囲むように配置される磁性体を備えたことを特徴とする。
【発明の効果】
【００１５】
本発明によれば、カプセル型医療装置の磁石の近傍に磁気スイッチが配置されるため、カプセル型医療装置単体の場合には、磁石による磁束で効率よく磁気スイッチの端子接続を切り替えることができ、カプセル型医療装置の収納容器への収納時には、カプセル型医療装置の短手方向の外周の一部が第１の磁性体によって取り囲まれるため、カプセル型医療装置の磁石による磁束を、磁気スイッチではなく第１の磁性体に集束させることができることから、磁石の磁力や磁気スイッチの感度によらず、カプセル型医療装置の電源の起動及び停止を確実に制御できる。
【図面の簡単な説明】
【００１６】
【図１】図１は、実施の形態１にかかるカプセル型医療装置の収容容器の断面形状とともに、カプセル型医療装置を模式的に示した図である。
【図２】図２は、図１のＦ−Ｆ線を切断面としたときのカプセル型医療装置及び収納容器の断面図である。
【図３】図３は、図２に示すカプセル型医療装置の断面図である。
【図４】図４は、実施の形態１の変形例１に係る収納容器と、該収納容器に収納されたカプセル型医療装置の断面図である。
【図５】図５は、実施の形態２に係る収納容器と、該収納容器に収納されたカプセル型医療装置の断面図である。
【図６】図６は、図５に示すカプセル型医療装置の断面図である。
【図７】図７は、実施の形態２の変形例１に係る収納容器と、該収納容器に収納されたカプセル型医療装置の断面図である。
【図８】図８は、図７に示すカプセル型医療装置の断面図である。
【図９】図９は、実施の形態２の変形例２に係るカプセル型医療装置の断面図である。
【図１０】図１０は、実施の形態２の変形例３に係るカプセル型医療装置の断面図である。
【図１１】図１１は、実施の形態２の変形例３に係る他のカプセル型医療装置の断面図である。
【図１２】図１２は、実施の形態２の変形例４に係るカプセル型医療装置の断面図である。
【図１３】図１３は、図１２のＧ−Ｇ線を切断面としたときの実施の形態２の変形例４に係るカプセル型医療装置及び収納容器の断面図である。
【発明を実施するための形態】
【００１７】
以下、図面を参照して、本発明にかかるカプセル型医療装置及びカプセル型医療装置の収納容器の好適な実施の形態を詳細に説明する。この実施の形態によって本発明が限定されるものではない。
【００１８】
（実施の形態１）
図１は、本発明の実施の形態１にかかるカプセル型医療装置の収容容器の断面形状とともに、カプセル型医療装置を模式的に示した図である。
【００１９】
カプセル型医療装置１は、被検体の体腔内に導入される飲み込み型のカプセル型医療装置である。カプセル型医療装置１は、カプセル型医療装置１の機能を実現する電子部品、電池、後述する磁気スイッチなどを有する。カプセル型医療装置１は、磁気スイッチのスイッチ動作に応じて電源の起動及び停止が制御される。
【００２０】
収納容器２は、円筒部２２と、円筒部２２と繋がるベース部２１と、ベース部２１に設けられた有底（底面２５）の穴２３と、穴２３の側面２４とから構成されており、側面２４にカプセル型医療装置１の長手方向の一方の端が嵌装された状態で、カプセル型医療装置１を収納する。この状態で、収納容器２は、外装容器（不図示）内に収容され、外装容器の開口が滅菌シートで閉塞されることによって密閉される。収納容器２には、穴２３の側面２４に筒状の磁性体２６（第１の磁性体）が配置され、磁性体２６で側面２４の外周の全周を取り囲む。穴２３の側面２４にカプセル型医療装置１の長手方向の一方の端が嵌装されるため、収納容器２にカプセル型医療装置１が収納されている場合に、磁性体２６は、カプセル型医療装置１の短手方向（径方向）の外周の全周を取り囲むように配置される。磁性体２６は、強磁性体である。
【００２１】
図２は、図１のＦ−Ｆ線を切断面としたときのカプセル型医療装置１及び収納容器２の断面図である。図２に示すように、カプセル型医療装置１は、カプセル型の筐体１１内の基板１２上に、永久磁石である磁石１３と磁気スイッチ１４とが設けられた構成を有する。
【００２２】
磁気スイッチ１４は、磁石１３の近傍に配置される。磁気スイッチ１４は、たとえば、リードスイッチであり、２枚の磁性体リードの一部をオーバーラップさせ、不活性ガスとともにガラス管に封入したものである。リードスイッチは、リードの軸方向に外部から一定強度の磁界が加えられると磁化されたリードが互いに接触して回路を閉ざし、この一定強度の磁界が消去されるとリードの弾性により回路を開く機能を有する。具体的には、磁気スイッチ１４は、一定強度の磁束が加わるとオンし、一定強度の磁束がなくなるとオフする。言い換えると、磁気スイッチ１４は、近傍に配置される磁石１３による磁束の変化に応じて端子の接続がオンまたはオフに切り替わる。カプセル型医療装置１の電源は、磁気スイッチ１４がオンとなると起動し、磁気スイッチ１４がオフとなると停止する。
【００２３】
収納容器２は、前述したように穴２３の側面２４の外周に配置された筒状の磁性体２６を有する。収納容器２にカプセル型医療装置１が収納された場合、磁性体２６は、磁気スイッチ１４の近傍に、カプセル型医療装置１の短手方向の外周の全周を取り囲むように配置される。図２の例では、磁性体２６は、筒状であるため、カプセル型医療装置１の短手方向の外周に対して回転対称に配置する。磁性体２６の透磁率は、磁気スイッチ１４の透磁率よりも高い。
【００２４】
図２のように、カプセル型医療装置１が収納容器２に収納される場合には、磁石１３による磁束Ｍ１は、磁気スイッチ１４よりも透磁率が高い収納容器２の磁性体２６を経由するように集束される。言い換えると、カプセル型医療装置１が収納容器２に収納される場合には、磁石１３による磁束Ｍ１のほとんどが磁性体２６を通る磁気回路が形成される。したがって、カプセル型医療装置１が収納容器２に収納される場合には、磁気スイッチ１４には、磁石１３による磁束が通らずオンを維持できる程度の磁束が加わらないため、磁気スイッチ１４はオフとなり、カプセル型医療装置１の電源は停止する。
【００２５】
図３は、図２に示す収納容器２から取り外された場合のカプセル型医療装置１の断面図である。図３におけるカプセル型医療装置１の切断面は、図２におけるカプセル型医療装置１の切断面と同一である。カプセル型医療装置１が収納容器２から取り外された場合には、図３に示すように、磁束を集束する磁性体２６はカプセル型医療装置１近傍から離間する。したがって、磁石１３による磁束Ｍ２の一部は、磁石１３近傍の磁気スイッチ１４を通る。言い換えると、カプセル型医療装置１を収納容器２から取り外した場合には、磁気スイッチ１４に一定強度の磁束が加わるため、磁気スイッチ１４はオンとなり、カプセル型医療装置１の電源は起動する。
【００２６】
このように、実施の形態１では、カプセル型医療装置１内に磁石１３と磁気スイッチ１４とを近接して配置するため、カプセル型医療装置１単体の場合には、磁石１３による磁束で効率よく磁気スイッチ１４をオンさせることができ、カプセル型医療装置１の電源を起動させることができる。したがって、実施の形態１によれば、磁石１３による磁束の利用効率が上がるため、磁石１３の磁力や磁気スイッチ１４の感度によらず、カプセル型医療装置１単体時において、外部磁界の影響を受けることなくカプセル型医療装置１の電源を起動させることができる。
【００２７】
さらに、実施の形態１では、収納容器２にカプセル型医療装置１が収納される場合には、筒状の磁性体２６がカプセル型医療装置１の短手方向の外周の全周を取り囲むように配置される。この場合における磁石１３による磁束のほとんどは、磁気スイッチ１４ではなく、磁性体２６に集束されるため、磁気スイッチ１４は確実にオフになり、カプセル型医療装置１の電源も停止する。
【００２８】
すなわち、実施の形態１では、収納容器２に筒状の磁性体２６を配置することによって、カプセル型医療装置１が収納容器２に収納された場合と、収納容器２から取り外されたカプセル型医療装置１単体での場合とで、磁石１３による磁束が通る経路を、磁性体２６を経由する経路と、磁気スイッチ１４を経由する経路との間で切り替えることで、磁気スイッチ１４のオン及びオフを制御している。したがって、カプセル型医療装置１を収納容器２に収納するだけで、磁気スイッチ１４をオフしてカプセル型医療装置１の電源も停止でき、カプセル型医療装置１を収納容器２から取り外すだけで、磁気スイッチ１４をオンしてカプセル型医療装置１の電源を起動させることができる。このように、実施の形態１によれば、カプセル型医療装置１内に磁力の小さい磁石１３や感度の低い磁気スイッチ１４を採用した場合であっても、カプセル型医療装置１の電源の起動及び停止を確実かつ容易に制御できる。
【００２９】
また、磁性体２６は、収納容器２に収納されたカプセル型医療装置１の短手方向の外周に対して回転対称に配置されるため、収納されるカプセル型医療装置１の向きによらず、磁石１３による磁束を磁性体２６に集束させて磁気スイッチ１４への磁束通過を阻止できる。したがって、カプセル型医療装置１を収納容器２の穴２３に対してどの向きに嵌め込んでも、確実にカプセル型医療装置１の磁気スイッチ１４をオフし、カプセル型医療装置１の電源を停止できる。このため、実施の形態１によれば、カプセル型医療装置１の向きを気にせず収納容器２の穴２３に嵌め込めばよいため、カプセル型医療装置１の収納容器２への収納処理も容易化できる。
【００３０】
（実施の形態１の変形例１）
図４は、実施の形態１の変形例１に係る収納容器と、該収納容器に収納されたカプセル型医療装置１の断面図である。図４は、図２における収納容器及びカプセル型医療装置の切断面と同じ位置の切断面で実施の形態１の変形例１に係る収納容器と、該収納容器に収納されたカプセル型医療装置１を切断した断面図である。
【００３１】
図４に示すように、収納容器に設けられる磁性体は、収納時にカプセル型医療装置１の短手方向の外周の少なくとも一部を取り囲むように配置すれば、磁石１３の磁束を磁性体に集束させることができるため、磁性体は必ずしも一体である必要はなく、第１磁性体２６Ａ−１、第２磁性体２６Ａ−２、第２磁性体２６Ａ−３及び第４磁性体２６Ａ−４のように、複数の部材で構成することも可能である。
【００３２】
（実施の形態２）
次に、実施の形態２について説明する。図５は、実施の形態２に係る収納容器と、該収納容器に収納されたカプセル型医療装置の断面図である。図５は、図２における収納容器及びカプセル型医療装置の切断面と同じ位置の切断面で実施の形態２に係る収納容器と、該収納容器に収納されたカプセル型医療装置を切断した断面図である。図６は、図５に示す収納容器２から取り外された場合のカプセル型医療装置の断面図である。図６におけるカプセル型医療装置２０１の切断面は、図５におけるカプセル型医療装置２０１の切断面と同一である。
【００３３】
図５及び図６に示すように、実施の形態２に係るカプセル型医療装置２０１は、基板１２上に、さらに、一対のカプセル側磁性体２１５，２１６（第２の磁性体）が設けられた構成を有する。一対のカプセル側磁性体２１５，２１６は、棒状或いは板状であり、磁石１３の両極の近傍に、互いに対向配置される。このカプセル側磁性体２１５，２１６は、強磁性体である。カプセル側磁性体２１５，２１６の両端のうち、一端は、それぞれ磁石１３の両極に近接し、他端は、筐体１１に近接する。言い換えると、カプセル側磁性体２１５，２１６の筐体１１側の端部は、カプセル型医療装置２０１の収納容器２への収納時においては磁性体２６に近接する。カプセル側磁性体２１５，２１６の透磁率は、磁気スイッチ１４の透磁率よりも高い。磁気スイッチ１４は、対向配置する一対のカプセル側磁性体２１５，２１６の間に配置する。図５，６の例では、カプセル型医療装置２０１内の中央近傍に磁石１３が位置し、筐体１１側に磁気スイッチ１４が位置する。
【００３４】
図５に示すように、カプセル型医療装置２０１が収納容器２に収納されている場合には、磁石１３による磁束は、磁石１３のＮ極から、カプセル側磁性体２１５、収納容器２の磁性体２６及びカプセル側磁性体２１６を経由して磁石１３のＳ極に到達する閉じた経路Ｒ１（第１の経路）を通る。すなわち、経路Ｒ１で示される磁気回路が生成される。この場合には、磁気スイッチ１４に磁石１３による磁束が通らないため、磁気スイッチ１４はオフになり、カプセル型医療装置２０１の電源も停止する。
【００３５】
カプセル型医療装置２０１が収納容器２から取り外された場合には、図６に示すように、磁性体２６がなくなるため、磁石１３による磁束は、磁石１３のＮ極から、カプセル側磁性体２１５、磁気スイッチ１４及びカプセル側磁性体２１６を経由して磁石１３のＳ極に到達する閉じた経路Ｒ２（第２の経路）を通る。すなわち、経路Ｒ２で示される磁気回路が生成される。この場合には、磁石１３による一定強度の磁束が磁気スイッチ１４に加わるため、磁気スイッチ１４はオンになり、カプセル型医療装置２０１の電源は起動する。
【００３６】
ここで、カプセル型医療装置２０１においては、カプセル側磁性体２１５，２１６として、磁気スイッチ１４の透磁率よりも高い透磁率を有する材料を選択する。このため、カプセル型医療装置２０１単体の場合には、磁石１３による磁束のうち磁気スイッチ１４のオン状態を維持させるのに十分な磁束が、カプセル側磁性体２１５に導かれて磁気スイッチ１４の中を通り、磁気スイッチ１４からカプセル側磁性体２１６に誘導される。これによって、カプセル型医療装置２０１単体の場合には、カプセル側磁性体２１５、磁気スイッチ１４及びカプセル側磁性体２１６を経由する経路Ｒ２の磁気回路が確実に形成される。したがって、実施の形態２によれば、カプセル型医療装置２０１単体の場合には、実施の形態１と比して、さらに効率よく、磁石１３による磁束で磁気スイッチ１４をオンさせることができ、カプセル型医療装置１の電源を、外部磁界によらず確実に起動させることができる。
【００３７】
そして、実施の形態２では、カプセル側磁性体２１５，２１６と磁性体２６との間の距離の総量が、カプセル側磁性体２１５，２１６と磁気スイッチ１４との間の距離の総量よりも小さくなるように各部材が配置される。ここで、磁気スイッチ１４は、前述したように、ガラス管に２枚の磁性体リードを封入したものであるため、ほぼ空気としてみなす。実施の形態２では、経路Ｒ１におけるカプセル側磁性体２１５と磁性体２６との間の距離Ａと、カプセル側磁性体２１６と磁性体２６との間の距離Ｂとの総量（Ａ＋Ｂ）は、経路Ｒ２におけるカプセル側磁性体２１５とカプセル側磁性体２１６との間の距離Ｃよりも小さくなるように各部材が配置される。これによって、カプセル型医療装置２０１の収納容器２への収納時には、部材間の距離の総量が小さい経路Ｒ１に磁束が集束し、カプセル側磁性体２１５、磁性体２６及びカプセル側磁性体２１６を経由する経路Ｒ１の磁気回路が、外部磁界によらず確実に形成される。したがって、カプセル型医療装置２０１の収納時には、磁気スイッチ１４には磁束が通らないため、磁気スイッチ１４を確実にオフでき、これに伴い、カプセル型医療装置２０１の電源を確実に停止できる。
【００３８】
このように、実施の形態２では、実施の形態１と比して、外部磁界の影響を受けることなく、さらに効率的かつ確実に、カプセル型医療装置２０１の電源動作を制御することができる。
【００３９】
（実施の形態２の変形例１）
図７は、実施の形態２の変形例１に係る収納容器と、該収納容器に収納されたカプセル型医療装置の断面図である。図８は、図７に示す収納容器から取り外された場合のカプセル型医療装置の断面図である。カプセル型医療装置２０１における磁石１３と磁気スイッチ１４との位置を、図７及び図８に示す実施の形態２の変形例１に係るカプセル型医療装置２０１Ａのように入れ替えてもよい。この場合も、カプセル型医療装置２０１Ａが収納容器２に収納されている場合には、磁石１３による磁束は、磁気スイッチ１４を経由しない閉じた経路Ｒ１ａ（第１の経路）（図７参照）を通るため、カプセル型医療装置２０１Ａの電源は確実に停止する。また、カプセル型医療装置２０１Ａ単体の場合には、磁石１３による磁束は、磁気スイッチ１４を経由する閉じた経路Ｒ２ａ（第２の経路）（図８参照）を通るため、カプセル型医療装置２０１Ａの電源は確実に起動する。
【００４０】
（実施の形態２の変形例２）
図９は、実施の形態２の変形例２に係るカプセル型医療装置の断面図である。図９のカプセル型医療装置２０１Ｂに示すように、カプセル側磁性体２１５Ｂ，２１６Ｂにそれぞれ、磁気スイッチ１４に向けて突起した突起部２１７Ｂ，２１８Ｂを設け、カプセル型医療装置２０１Ｂ単体時には、突起部２１７Ｂと突起部２１８Ｂとの間に位置する磁気スイッチ１４に、磁石１３による磁束Ｍ３を集束させて、さらにカプセル型医療装置２０１Ｂの起動をより確実にしてもよい。
【００４１】
（実施の形態２の変形例３）
図１０は、実施の形態２の変形例３に係るカプセル型医療装置の断面図である。また、図１１は、実施の形態２の変形例３に係る他のカプセル型医療装置の断面図である。図１０に示すカプセル型医療装置２０１Ｃのように、カプセル側磁性体２１５Ｃ，２１６Ｃは、平行に対向せずともよい。カプセル型医療装置２０１Ｃの電源を停止するには、カプセル型医療装置２０１Ｃの収納容器２への収納時に、磁石１３のＮ極から、カプセル側磁性体２１５Ｃ、磁性体２６及びカプセル側磁性体２１６Ｃを経由して磁石１３のＳ極に到達する磁気回路を形成できれば足りるためである。同様の理由で、図１１に示すカプセル型医療装置２０１Ｄのカプセル側磁性体２１５Ｄ，２１６Ｄのように、カプセル側磁性体は、屈曲形状であってもよい。
【００４２】
（実施の形態２の変形例４）
図１２は、実施の形態２の変形例４に係るカプセル型医療装置の断面図である。図１３は、図１２のＧ−Ｇ線を切断面としたときの実施の形態２の変形例４に係るカプセル型医療装置及び収納容器の断面図である。
【００４３】
図１２および図１３に示すカプセル型医療装置２０１Ｅのように、カプセル側磁性体２１５Ｅ，２１６Ｅがカプセル型医療装置２０１Ｅの長手方向に屈曲していてもよい。図１２および図１３に示すように、カプセル側磁性体２１５Ｅ，２１６Ｅは、位置Ｐ１で、カプセル型医療装置２０１Ｅの長手方向に屈曲し、位置Ｐ１で、基板１２と平行となるように屈曲する。このようにカプセル側磁性体２１５Ｅ，２１６Ｅが、カプセル型医療装置２０１Ｅの長手方向に屈曲する場合も、カプセル型医療装置２０１Ｅの収納容器２への収納時に、磁石１３のＮ極から、カプセル側磁性体２１５Ｅ、磁性体２６及びカプセル側磁性体２１６Ｅを経由して磁石１３のＳ極に到達する磁気回路を形成できるため、カプセル型医療装置２０１Ｅの電源の停止が可能となる。さらに、カプセル側磁性体２１５Ｅ，２１６Ｅが図１２及び図１３に示す形状である場合には、磁石１３の上方や磁気スイッチ１４の下方に他の部品を搭載することができる。一対のカプセル側磁性体は、カプセル型医療装置の収納容器２への収納時に、磁石１３のＮ極から、一方のカプセル側磁性体、磁性体２６及び他方のカプセル側磁性体を経由して磁石１３のＳ極に到達する磁気回路を形成できれば、いずれの方向に屈曲していてもよい。
【００４４】
なお、実施の形態１，２では、カプセル型医療装置１，２０１，２０１Ａ〜２０１Ｅが収納容器２に収納されている場合にはカプセル型医療装置１の電源が停止し、カプセル型医療装置１が収納容器２から取り外された時にはカプセル型医療装置１の電源が起動するように、磁気スイッチ１４がスイッチ動作すれば足りる。このため、磁気スイッチ１４は、カプセル型医療装置１，２０１，２０１Ａ〜２０１Ｅ単体時において一定強度の磁束が加わるとオフし、カプセル型医療装置１，２０１，２０１Ａ〜２０１Ｅの収納容器２への収納時において、磁気スイッチ１４に加えられた磁束がなくなるとオンする構成であって、カプセル型医療装置１，２０１，２０１Ａ〜２０１Ｅの電源は、磁気スイッチ１４がオフすると起動し、磁気スイッチ１４がオンすると停止するように動作してもよい。
【００４５】
また、上述した本発明の実施の形態１，２にかかるカプセル型医療装置１，２０１，２０１Ａ〜２０１Ｅは、被検体の体内に飲み込まれるカプセル型の医療装置であり、たとえば、体内画像を取得するカプセル型内視鏡、生体内のｐＨ情報を体内情報として計測するカプセル型ｐＨ計測装置、生体内の温度情報を体内情報として計測するカプセル型温度計測装置、生体内に薬剤を散布または注射する機能を備えたカプセル型薬剤投与装置、或いは、生体内の物質（体組織等）を採取するカプセル型採取装置である。
【符号の説明】
【００４６】
１，２０１，２０１Ａ〜２０１Ｅ  カプセル型医療装置
２  収納容器
１１  筐体
１２  基板
１３  磁石
１４  磁気スイッチ
２１  ベース部
２２  円筒部
２３  穴
２４  側面
２５  底面
２６  磁性体（第１の磁性体）
２１５，２１５Ｂ〜２１５Ｅ，２１６，２１６Ｂ〜２１６Ｅ  カプセル側磁性体（第２の磁性体）
２１７Ｂ，２１８Ｂ  突起部
【図１】
2018093887.tif 000003
【図２】
2018093887.tif 000004
【図３】
2018093887.tif 000005
【図４】
2018093887.tif 000006
【図５】
2018093887.tif 000007
【図６】
2018093887.tif 000008
【図７】
2018093887.tif 000009
【図８】
2018093887.tif 000010
【図９】
2018093887.tif 000011
【図１０】
2018093887.tif 000012
【図１１】
2018093887.tif 000013
【図１２】
2018093887.tif 000014
【図１３】
2018093887.tif 000015